(57)【要約】【課題】動物用の蚤取り装置において、確実に動物の体から蚤を脱離させることができるとともに脱離された蚤を確実に回収することができるようにする。【解決手段】蚤を動物から脱離させる櫛歯２が櫛基材３ａから前方へ突出して植設された櫛３と、櫛３の櫛歯２の後方に回収口４ａを配置して設けられて、櫛歯２により梳き出された蚤を収納する収納室１２とを有し、櫛３の櫛基材３ａは、櫛歯２の根本部２ｃから収納室１２の回収口４ａへ向けて形成される植設面３ｃの角度が、櫛歯２の軸方向に対して鈍角を成して傾斜されていると共に、この植設面３ｃの先端が櫛歯２の直径の範囲内に配置されているものとした。【選択図】図１
2010099045.tif 000002
【特許請求の範囲】
【請求項１】
蚤を動物から脱離させる櫛歯（２）が櫛基材（３ａ）から前方へ突出して植設された櫛（３）と、
この櫛（３）の櫛歯（２）後方に回収口（４ａ）を配置して設けられて櫛歯（２）により梳き出された蚤を収納する収納室（１２）とを有する蚤取り装置であって、
前記櫛（３）の櫛基材（３ａ）は、櫛歯（２）の根本部（２ｃ）から収納室（１２）の回収口（４ａ）へ向けて形成される植設面（３ｃ）の角度が櫛歯（２）の軸方向に対して鈍角を成して傾斜されていると共に、この植設面（３ｃ）の先端が櫛歯（２）の直径の範囲内に配置されていることを特徴とする蚤取り装置。
【請求項２】
前記植設面（３ｃ）の先端は櫛歯（２）の直径中心位置に対応させて配置されていることを特徴とする請求項１に記載の蚤取り装置。
【請求項３】
前記植設面（３ｃ）と回収口（４ａ）における内周面の一つの面との間が無段差接続されていることを特徴とする請求項１又は請求項２記載の蚤取り装置。
【請求項４】
前記収納室（１２）には、櫛歯（２）により梳き出された蚤を回収口（４ａ）から室内へ吸引する吸引機構が設けられていることを特徴とする請求項１乃至請求項３のいずれか１項に記載の蚤取り装置。
【発明の詳細な説明】
【技術分野】
【０００１】
本発明は、犬や猫等のペット類を始めとする動物に使用可能な蚤取り装置に関し、特に、ペットの体（体毛や体表）から脱離させた蚤を取り逃がすことなく収容できる蚤取り装置に関する。
【背景技術】
【０００２】
ペット等の体毛に潜む蚤を取るための蚤取り櫛は、安価であり手軽であることから、従来多用されている。しかし蚤取り櫛では、梳き出した蚤を一旦、紙等の上に落とし、潰してから廃棄する手間が必要であり面倒であった。しかも蚤は飛び跳ねるため、櫛上や紙上から逃がしてしまうという問題もあった。
そこで蚤取り櫛と吸引装置とを組合せたペット用蚤取り装置が開発されている（例えば、特許文献１乃至３等参照）。このうち、櫛歯が櫛基材から前方へ突出して植設されて成る櫛を有していると共に、櫛歯の軸方向に沿うようにして吸引装置による吸引作用が生じるようにした蚤取り装置（特許文献２）が知られている。
【０００３】
なお、吸引装置を具備しない蚤取り器も公知である（特許文献４参照）。この蚤取り器も、櫛歯が櫛基材から前方へ突出して植設されて成る櫛を有している点は同じであり、この櫛の後方（櫛歯の軸方向に沿った後方）に、吸引装置の代わりに蚤用の捕獲器が設けられている。
【特許文献１】実公平４−４０４５５号公報
【特許文献２】実開平１−１７５５６４号公報
【特許文献３】実開平１−１１６０５０号公報
【特許文献４】特許第２６３１９４９号公報
【発明の開示】
【発明が解決しようとする課題】
【０００４】
従来の蚤取り装置では、吸引装置を具備したものであっても、ペットの体毛や体表から梳き出した蚤が飛び跳ねて、吸引されない場合があった。
のみならず、櫛歯の軸方向に沿うようにして吸引装置による吸引作用が生じるようにした蚤取り装置（特許文献２）では、櫛基材の先端（櫛歯の根本部となる部分）に櫛歯の軸方向と直交する面が生じていたため、この先端に対し、櫛歯により梳き出された蚤が付着堆積して、うまく吸引装置側へ吸い取りできないという問題があった。
吸引装置を具備しない蚤取り器（特許文献４）でも、櫛基材の先端（櫛歯の根本部となる部分）に櫛歯の軸方向と直交する面が生じている点は同じであるため、この先端に対し、櫛歯により梳き出された蚤が付着堆積する問題があった。
【０００５】
本発明は、上記事情に鑑みてなされたものであって、確実にペットの体から蚤を脱離させることができるとともに脱離された蚤を確実に回収できるようにした蚤取り装置を提供することを目的とする。
【課題を解決するための手段】
【０００６】
前記目的を達成するために、本発明は次の手段を講じた。
即ち、本発明に係る蚤取り装置は、蚤を動物から脱離させる櫛歯が櫛基材から前方へ突出して植設された櫛と、この櫛の櫛歯後方に回収口を配置して設けられて櫛歯により梳き出された蚤を収納する収納室とを有しており、前記櫛の櫛基材は、櫛歯の根本部から収納室の回収口へ向けて形成される植設面の角度が櫛歯の軸方向に対して鈍角を成して傾斜されていると共に、この植設面の先端が櫛歯の直径の範囲内に配置されている。
ここにおいて「植設面の先端」とは、櫛歯の根本部から収納室の回収口へ向かう植設面の始端位置を言うものとする。
【０００７】
このような構成であると、櫛歯により梳き出された蚤が、傾斜した植設面にうまく誘導されて回収口内へと取り込まれるようになるので、櫛歯の根本部まわりで蚤が付着堆積し難くなる。そのため、脱離された蚤は確実に収納室に回収できるようになる。
前記植設面の先端は、櫛歯の直径中心位置に対応させて配置するのが好適である。
このようにすることで、櫛歯の根本部まわりにおいて、櫛歯の軸方向と鈍角以外で交差する面を可及的に小さくできる。そのため、蚤が付着堆積する可能性を徹底して低減できる。
【０００８】
前記植設面と回収口における内周面の一つの面との間が無段差接続されたものとするのが好適である。
ここにおいて「回収口における内周面の一つの面」とは、回収口内において植設面に後続するように配置される面を言うものとする。また「無段差接続」とは、植設面と回収口における内周面の一面との二面間に段差が生じないように、両面が接続されることを言うものとする。
このようにすることで、植設面から回収口内へと移行する部分で蚤が引っ掛かるのを防止でき、この部分での蚤の付着堆積をも防止できる。
【０００９】
前記収納室には、櫛歯により梳き出された蚤を回収口から室内へ吸引する吸引機構が設けられたものとするのがよい。
このように吸引機構を設けることで、強制的な蚤の回収が可能となり、ペットの体から蚤を脱離させること、及び脱離された蚤を回収することについて、それぞれ効果を一層高めることができる。
【発明の効果】
【００１０】
本発明に係る蚤取り装置では、確実にペット等の動物の体から蚤を脱離させることができるとともに脱離された蚤を確実に回収することができる。
【発明を実施するための最良の形態】
【００１１】
以下、本発明の実施の形態を、図面に基づき説明する。
以下の説明では、同一の部品には同一の符号を付してある。それらの名称および機能も同じである。したがって、それらについての詳細な説明は繰返さない。
図１に、本実施形態に係る蚤取り装置１の分解斜視図を、図２に側面図を、図３に断面図を、図４に底面図を、図５に上面図をそれぞれ示す。図３の断面図は、図５のIII−III
断面である。
【００１２】
図１〜図５に示すように、この蚤取り装置１は、ペットの体（特に体毛）から蚤を梳き出して脱離させる櫛歯２を備えた櫛３と、この櫛３により梳き出された蚤を収納するための収納室１２を構成する透明ケース４及びケース蓋５と、吸引機構を構成するシロッコ型ファン６及びモーター７を収納したモーターケース８と、電池９を収納した電池ケース１０とを有している。
収納室１２を構成する透明ケース４は、その先端部に扁平な開口形状の回収口４ａが設けられ、その反対側に大口の蚤排出口４ｂが設けられた変形ドーム型となっている。
【００１３】
透明ケース４の底部には、櫛３を取り付けるための枠状のポケット部４ｃと係止孔４ｄとが設けられている。ポケット部４ｃは、対向して設けられた一対のガイドレール４ｅを備える。
また、ケース蓋５には、フィルターとなるメッシュ状のシート１１が溶着されている。
本実施形態では、透明ケース４の蚤排出口４ｂが、ケース蓋５により閉鎖され、収納室１２が構成されるものとしてある。
透明ケース４は、ケース蓋５と共に、モーターケース８に設けられたプッシュ式のケース脱着スイッチ１３により、モーターケース８及び電池ケース１０に着脱自在に保持されている。
【００１４】
すなわち、透明ケース４内に収納された蚤を廃棄する場合には、このケース脱着スイッチ１３を押し下げて、収納室１２である透明ケース４を取り外して（さらに必要に応じてケース蓋５も取り外して）、透明ケース４内の蚤を廃棄する。
モーター７には、振動防止用のウレタンシート１４が取り付けられている。モーター７の上方側にはスイッチ金具１５が、モーターケース８に取り付けられたプッシュ式の電源スイッチ１６と連動可能なように取り付けられている。
また、モーターケース８には、排気口８ａが設けられ、作業者の持ち手となるモーターケースグリップ１７が取り付けられている。
【００１５】
電池ケース１０には、排気口１０ａが設けられ、電池金具１８と電池蓋１９とが取り付けられている。電池金具１８及びスイッチ金具１５は、電源スイッチ１６の操作により電池９からモーター７へ電力が供給される状態及び供給が遮断される状態のいずれかの状態になるように、その形状及び取り付け位置が決定されている。
電池ケース１０は、モーターケース８に対して、ネジ２０により取り付けられている。なお、このネジ２０を取り外さなくても、ケース脱着スイッチ１３を操作することにより、透明ケース４（ケース蓋５も）はモーターケース８及び電池ケース１０から取り外すことができる。
【００１６】
櫛３は、多数のステンレス鋼製の針金２ａ，２ｄが並設された櫛歯２を備える。櫛歯２を構成する各ステンレス鋼製の針金２ａ，２ｄの各基部２ｂは、プラスチィック製の櫛基材３ａに埋め込まれた状態で固定されている。針金２ａ，２ｄのうち、外端部の針金２ｄはそれ以外の針金２ａに比べて若干太いものとなっており、外端部の針金２ｄの間に並設された多数の針金２ａが外力により変形することを防止している。
また、櫛歯２を構成する多数の針金２ａ，２ｄの長さ（櫛基材３ａからの突出長さ）、ピッチ、本数及び形状は、蚤取り対象となるペットの種類等により適宜設定される。
【００１７】
なお、プラスチィック製の櫛基材３ａには、透明ケース４に櫛３を係止させるための突起部３ｂが設けられている。
そして、櫛３は、その櫛基材３ａの部分が、透明ケース４のポケット部４ｃの相対向するガイドレール４ｅ間に挿入されるとともに、突起部３ｂが、係止孔４ｄに押し込まれて係止される。
従って、櫛３は、透明ケース４（蚤取り装置１）に対して着脱自在に透明ケース４（蚤取り装置１）に保持される。
【００１８】
櫛基材３ａは、櫛歯２の根本部２ｃから収納室１２の回収口４ａへ向けて形成される植設面３ｃの角度が、櫛歯２の軸方向に対して鈍角を成して傾斜されている。また、この植設面３ｃの先端（櫛歯２の根本部２ｃから収納室１２の回収口４ａへ向かう植設面３ｃの始端位置）が櫛歯２の直径の範囲内、好ましくは櫛歯２の直径中心位置に対応させて配置されている。
これにより、櫛基材３ａにおいて、櫛歯２の根本部２ｃまわりで、櫛歯２の軸方向と鈍角以外で交差する面（植設面３ｃの先端よりもケース外側へ向けて形成される面）が可及的に小さくなる。そのため、櫛歯２により梳き出された蚤が櫛歯２の根本部２ｃまわりで付着体積し難くなり、その結果、脱離された蚤は確実に収納室１２に回収されるようになる。
【００１９】
また、植設面３ｃと回収口４ａにおける内周面の一つの面（回収口４ａ内において植設面３ｃに後続するように配置される面であって、図３では回収口４ａ内の下面に相当）との間は、無段差接続されている。無段差接続とは、植設面３ｃと回収口４ａにおける内周面の一面との二面間に段差が生じないように、両面が接続されることを言うものである。これら二面間が面一であるか、若干、傾斜角度が異なっているかは限定されない。
このような無段差接続に伴い、植設面３ｃから回収口４ａ内へと移行する部分で蚤が引っ掛かることはなく、この部分での蚤の付着堆積をも防止できる。
【００２０】
図６〜図８を参照して、透明ケース４の回収口４ａに設けられる逆流防止弁２１について説明する。この逆流防止弁２１は、０．３ｍｍ程度のＰＰ（ポリプロピレン）製やＰＥＴ（ポリエチレンテレフタレート）製であって、図８に示すように、略長方形の吸引内口４ｆよりも一回り大きな形状を有する。この逆流防止弁２１は、透明ケース４の吸引内口４ｆの上方に設けられた取り付けピン４ｇに取り付けられる穴を備える（好ましくは左右２ヶ所以上）。
図６及び図７に示すように、この逆流防止弁２１は、吸引機構を構成するファン６の作動により発生する吸引流により、取り付けピン４ｇの部分を回転中心としてファン６側に揺動可能に把持されている。この逆流防止弁２１の開閉構造をもって逆流防止機構２２が構成されている。
【００２１】
図６が、この蚤取り装置１が作動していない状態（吸引機構であるファン６が作動していない状態）であって、逆流防止弁２１により吸引内口４ｆが閉じられている。
図７が、この蚤取り装置１が作動している状態（吸引機構であるファン６が作動している状態）であって、逆流防止弁２１は、吸引流によりファン６側に引っ張られて吸引内口４ｆから離隔されて回収口４ａが開いている。
ファン６を作動させると図７の状態になり吸引内口４ｆが開いて蚤を透明ケース４内に吸引し、ファン６の作動を停止させると図６の状態になり逆流防止弁２１により吸引内口４ｆが塞がれて回収口４ａが閉じて、透明ケース４の中から蚤がこの蚤取り装置１の外部に逃げ出すことを阻止する。
【００２２】
本実施形態に係る蚤取り装置１において、（１）回収口４ａの位置と櫛歯２の根本部２ｃ（針金２ａ，２ｄと櫛基材３ａとの境界部分）の位置との関係、（２）吸引流の方向と蚤取り装置１の操作方向との関係、は有意義である。以下、この点を説明する。
（１）回収口４ａの位置と櫛歯２の根本部２ｃの位置との関係
図３に示すように、回収口４ａの位置は、櫛歯２の根本部２ｃの位置に合わせている。さらに、櫛歯２と透明ケース４（回収口４ａの上縁部分）との間には、適度な間隙Ａを有する。
【００２３】
なお、櫛歯２を構成する針金２ａ，２ｄの各先端は、図２及び図５に示すように、わずかだけ透明ケース４（回収口４ａの上縁部分）から突出しており、櫛歯２の上方は、概ね透明ケース４で隠れた状態になっている。
（２）吸引流の方向と蚤取り装置１の操作方向との関係
吸引流の方向は回収口４ａからファン６へ向かう方向である。一方、この蚤取り装置１は、モーターケースグリップ１７を操作者が手のひらで把持して、蚤取り装置１の底面をペットの体表から少し浮かせて（櫛歯２を構成する針金２ａ，２ｄの各先端をペットの皮膚に当接させて）、前方（図２の紙面左上方向）に移動させる。すなわち、吸引流の方向とは逆方向に蚤取り装置１を移動させる。
【００２４】
これら（１）及び（２）の構成により、ペットの体毛や体表から脱離した蚤は、櫛歯２の上にすくい上げられる。この状態においてさらに蚤取り装置１が前方に移動されるので、蚤は櫛歯２の根本部２ｃに移動される。
この根本部２ｃには、上記の通り、回収口４ａが開口してファン６により吸気流が作用しているので、この吸気流により蚤が透明ケース４内、すなわち収納室１２内に収納される。
さらに、このとき、吸気流の方向（この蚤取り装置１の前方から後方への流れ）に対して、この蚤取り装置１の移動方向が逆方向であって、蚤取り装置１の後方から前方へ方向である（前方へ進ませる）。このため、吸気流の流れベクトルと移動方向の移動ベクトルとがほぼ対向する状態であるので、相対速度が上昇して、単に吸気流での吸引ベクトルよりも必ず大きなベクトルで蚤が吸引されることになる。
【００２５】
このようにして、（１）回収口４ａの位置と櫛歯２の根本部２ｃの位置との関係により、櫛歯２の上にすくい上げた蚤を確実に吸引でき、（２）吸引流の方向と蚤取り装置１の操作方向との関係により、吸引力がさらに増加するので、蚤をさらに確実に吸引することができるようになる。
さらに、櫛歯２を構成する針金２ａ，２ｄの各先端は、わずかだけ透明ケース２から突出しているに過ぎないので（針金２ａ，２ｄの各先端は、蚤取り装置１の先端よりも大きく突出していないので）、この蚤取り装置１の先端をペットに当接させたとしても、針金２ａ，２ｄが深く体表に進入することがなく、ペットの体表を針金２ａ，２ｄで傷付けることもない。
【００２６】
また櫛基材３ａにおける植設面３ｃの角度が、櫛歯２の軸方向に対して鈍角を成して傾斜されると共に、この植設面３ｃの先端が櫛歯２の直径の範囲内に配置されているので、櫛歯２により梳き出された蚤が櫛歯２の根本部２ｃまわりで付着体積し難くなり、その結果、脱離された蚤は確実に収納室１２に回収されるようになる。また植設面３ｃから回収口４ａ内へと移行する部分が無段差接続となっているので、この部分での蚤の付着堆積をも防止できる。
今回開示された実施形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【００２７】
例えば図９に示すように、櫛基材３ａは、植設面３ｃの先端（櫛歯２の根本部２ｃから収納室１２の回収口４ａへ向けて形成される位置）を櫛歯２の直径の直径中心位置に対応させて配置させると共に、この先端を境として、回収口４ａの外方側となる面を植設面３ｃとは相対逆となる傾斜面に形成させることも可能である。
また、吸引機構は省略し、収納室１２の後端を閉鎖させておくことも可能である。
使用の対象はペットに限定されず、人間を含む種々様々な動物に対して使用可能である。また、本発明の名称は、蚤取り装置としているが、蚤の回収除去用として使用することに限定されず、虱や、動物に付着する各種もの（植物の種など）の除去用としても使用可能である。
【図面の簡単な説明】
【００２８】
【図１】本発明の実施形態に係る蚤取り装置の分解斜視図である。
【図２】本発明の実施形態に係る蚤取り装置の側面図である。
【図３】本発明の実施形態に係る蚤取り装置の断面図である。
【図４】本発明の実施形態に係る蚤取り装置の底面図である。
【図５】本発明の実施形態に係る蚤取り装置の上面図である。
【図６】本発明の実施形態に係る蚤取り装置の逆流防止機構の作動状態を示す収納室１２の断面図である。
【図７】本発明の実施形態に係る蚤取り装置の逆流防止機構の作動状態を示す収納室１２の断面図である。
【図８】逆流防止機構の構成部材である逆流防止弁の正面図である。
【図９】櫛における櫛基材の別実施形態を示した側断面図である。
【符号の説明】
【００２９】
１  蚤取り装置
２  櫛歯
２ｃ  根本部
３  櫛
３ａ  櫛基材
３ｃ  植設面
４ａ  回収口
１２  収納室
【図１】
2010099045.tif 000003
【図２】
2010099045.tif 000004
【図３】
2010099045.tif 000005
【図４】
2010099045.tif 000006
【図５】
2010099045.tif 000007
【図６】
2010099045.tif 000008
【図７】
2010099045.tif 000009
【図８】
2010099045.tif 000010
【図９】
2010099045.tif 000011